(57)【要約】【課題】好みに応じて多彩な形態を選択することができると共に、装飾効果を演出することができる照明装置を提供すること。【解決手段】面発光体が収容され短冊状に形成された複数の発光部材が用いられ、複数の発光部材Ｅ１〜Ｅ３の各一端部が、屈曲可能な第１連結部材Ｊ１を中心にして放射状に連結されてなる第１発光ユニットＵＮ１と、複数の前記発光部材Ｅ４〜Ｅ６の各一端部が、屈曲可能な第２連結部材Ｊ２を中心にして放射状に連結されてなる第２発光ユニットＵＮ２とが具備される。前記第１発光ユニットＵＮ１を構成する複数の発光部材Ｅ１〜Ｅ３の各他端部と前記第２発光ユニットＵＮ２を構成する複数の発光部材Ｅ４〜Ｅ６の各他端部とが一対一の関係で屈曲可能な第３連結部材Ｊ３によりそれぞれ連結され、短冊状に形成された前記各発光部材により立体構造が形成される。【選択図】図４
2010177049.tif 000002
【特許請求の範囲】
【請求項１】
面発光体が収容され短冊状に形成された複数の発光部材が用いられ、複数の前記発光部材の各一端部が屈曲可能な第１連結部材を中心にして放射状に連結されてなる第１発光ユニットと、複数の前記発光部材の各一端部が屈曲可能な第２連結部材を中心にして放射状に連結されてなる第２発光ユニットとが少なくとも具備され、前記第１発光ユニットを構成する複数の発光部材の各他端部と前記第２発光ユニットを構成する複数の発光部材の各他端部とが一対一の関係で屈曲可能な第３連結部材によりそれぞれ連結され、短冊状に形成された前記各発光部材により立体構造を構成したことを特徴とする照明装置。
【請求項２】
前記各第３連結部材を中心にして前記第２発光ユニットを構成する発光部材の一つをそれぞれ含み、前記発光部材の各一端部が放射状に連結されてなる複数の第３発光ユニットと、複数の前記発光部材の各一端部が屈曲可能な第４連結部材を中心にして放射状に連結されてなる第４発光ユニットがさらに具備され、前記第３発光ユニットを構成する複数の発光部材の各他端部と前記第４発光ユニットを構成する複数の発光部材の各他端部とが一対一の関係で屈曲可能な第５連結部材によりそれぞれ連結されていることを特徴とする請求項１に記載された照明装置。
【請求項３】
前記各発光ユニットを構成する各発光部材は、長手方向の寸法が同一に構成されていることを特徴とする請求項１または請求項２に記載された照明装置。
【請求項４】
前記面発光体は有機ＥＬ素子により構成されていることを特徴とする請求項１ないし請求項３のいずれか１項に記載された照明装置。
【発明の詳細な説明】
【技術分野】
【０００１】
この発明は、例えば有機ＥＬ（エレクトロルミネッセンス）素子に代表される面発光光源を用いた照明装置に関する。
【背景技術】
【０００２】
有機ＥＬ素子は直流の低電圧により駆動されることで高い発光効率を有し、軽量かつ薄型化が可能であると共に、発熱が比較的少ないという特質を有している。したがって、一部の携帯型機器などにおけるフラットパネルディスプレイ（ＦＰＤ）に利用されており、また同素子を面発光光源として、例えば液晶表示素子のバックライトとして利用する形態のものも提供されている。
【０００３】
また、前記有機ＥＬ素子はＥＬ発光層に用いる素材の選択により、Ｒ（赤）、Ｇ（緑）、Ｂ（青）やその他の発光色を得ることができ、したがって前記した各発光色を単独で、または二種以上の発光色を組み合わせることにより、白色もしくはこれに近い発光色を得ることも可能となる。それ故、有機ＥＬ素子を面発光光源（発光パネル）として構成することで、例えば装飾用の光源や、室内等を照明する高効率な光源として利用することができる。
【０００４】
前記した有機ＥＬ素子の特質を生かし、これを面発光型の照明装置として利用したものが後に示す特許文献１および２に開示されている。
【０００５】
この先行技術文献に開示された照明装置においては、有機ＥＬ素子を面発光源として利用した場合において、主に輝度むらの発生を防止することを解決しようとする課題としているものであり、したがってその発想は有機ＥＬ素子を単調な面発光源として利用しようとする点にとどまるものである。
【０００６】
一方、有機ＥＬ素子を面発光源として利用すると共に、光の照射範囲を利用者が変更することを可能としたスタンド型照明器具が提案されており、これは次に示す特許文献３に開示されている。
【先行技術文献】
【特許文献】
【０００７】
【特許文献１】特開２００３−７４５０号公報
【特許文献２】特開２００４−２３４８６８号公報
【特許文献３】特開２００１−３２５８０５号公報
【発明の概要】
【発明が解決しようとする課題】
【０００８】
ところで、前記した特許文献３に開示された照明装置よると、例えば二枚の光源支持板がヒンジを介して互いに回動可能に連結され、前記光源支持板の各一面に例えば有機ＥＬ素子からなる面発光体が取り付けられた構成にされている。この構成により、前記ヒンジを介して光源支持板を所定の角度に開くことにより、机上面などに自立させることができるスタンド型になされ、光源支持板の互いの角度を調整することで、光の照射範囲を変更することができることが、特許文献３に記載されている。
【０００９】
しかしながら、前記特許文献３に記載された照明器具においても、有機ＥＬ素子からなる面発光体が取り付けられた二枚の光源支持板がヒンジを介して互いに屈曲可能になされたものであり、先の特許文献１および２に示した照明装置と同様に有機ＥＬ素子を単調な面発光源として利用しようとする点で進展はない。
【００１０】
この発明にかかる照明装置は、前記した有機ＥＬ素子に代表される面発光体を光源とし、当該面発光体が収容され短冊状に形成された多数の発光部材を用いることを基本発想とするものである。
【００１１】
すなわち、前記発光部材の各端部を連結して多重の立体構造にし、各連結部において各発光部材同志が互いに屈曲可能となるように構成することで、好みに応じて多彩な形態を選択することができると共に、装飾効果を華やかに引き出すことができる照明装置を提供することを課題とするものである。
【課題を解決するための手段】
【００１２】
前記した課題を解決するためになされたこの発明にかかる照明装置は、面発光体が収容され短冊状に形成された複数の発光部材が用いられ、複数の前記発光部材の各一端部が屈曲可能な第１連結部材を中心にして放射状に連結されてなる第１発光ユニットと、複数の前記発光部材の各一端部が屈曲可能な第２連結部材を中心にして放射状に連結されてなる第２発光ユニットとが少なくとも具備され、前記第１発光ユニットを構成する複数の発光部材の各他端部と前記第２発光ユニットを構成する複数の発光部材の各他端部とが一対一の関係で屈曲可能な第３連結部材によりそれぞれ連結され、短冊状に形成された前記各発光部材により立体構造を構成した点に特徴を有する。
【００１３】
この場合、より好ましい形態においては、前記各第３連結部材を中心にして前記第２発光ユニットを構成する発光部材の一つをそれぞれ含み、前記発光部材の各一端部が放射状に連結されてなる複数の第３発光ユニットと、複数の前記発光部材の各一端部が屈曲可能な第４連結部材を中心にして放射状に連結されてなる第４発光ユニットがさらに具備され、前記第３発光ユニットを構成する複数の発光部材の各他端部と前記第４発光ユニットを構成する複数の発光部材の各他端部とが一対一の関係で屈曲可能な第５連結部材によりそれぞれ連結された構成にされる。
【００１４】
前記した構成になされる照明装置においては、前記各発光ユニットを構成する各発光部材は、長手方向の寸法が同一に構成されていることが望ましく、また短冊状に形成された発光部材にそれぞれ収容される前記面発光体は有機ＥＬ素子により構成されていることが望ましい。
【発明の効果】
【００１５】
前記した構成の照明装置によると、その基本構成が短冊状に成形された複数の発光部材を第１〜第３の連結部材により立体形状に連結し、各連結部材において各発光部材同志が互いに屈曲可能に構成されているので、照明装置の形態を縦長または横長にするなど好みに応じて多彩な形態を選択することができる。
【００１６】
また、前記した基本構成に加えて、さらに第４連結部材および第５連結部材を利用して短冊状の発光部材を順次末広がりの立体構造に連結することで、より一層豪華な装飾効果を引き出すことができる照明装置が提供される。そして、各発光部材を放射状に連結する前記した第１連結部材を頂点とした吊り下げ型の照明装置として、また床置き型として利用することもでき、より多彩な演出効果を発揮する照明装置を提供することができる。
【図面の簡単な説明】
【００１７】
【図１】この発明にかかる照明装置において用いられる発光部材の構成を示した分解斜視図である。
【図２】同じく発光部材の正面図、およびその外郭を構成するカバー部材を外した状態の正面図である。
【図３Ａ】発光部材内に収容される有機ＥＬ素子の基本構成を説明する模式図である。
【図３Ｂ】同じく有機ＥＬ素子の基本構成を説明する断面図である。
【図４】発光部材を立体形状に連結したこの発明にかかる照明装置の基本構成を示す斜視図である。
【図５】図４に示す基本構成にさらに発光部材を末広がりに連結して立体構造としたこの発明にかかる照明装置の他の一例を示す斜視図である。
【図６】図４に示す照明装置において連結部材を介して順次変形させた例を示す写真である。
【図７】図５に示す照明装置の全体構造を示す写真である。
【図８】図５に示す照明装置において連結部材を介して変形させた一例を示す写真である。
【図９】図５に示す照明装置において連結部材を介して変形させた他の一例を示す写真である。
【発明を実施するための形態】
【００１８】
以下、この発明にかかる照明装置について、図に示す実施の形態に基づいて説明する。まず図１は、この発明にかかる照明装置において利用される発光部材の構成を示したものである。この発光部材は光透過性の素材（例えばアクリル樹脂）により形成された表裏のカバー部材の間に、面発光体としての有機ＥＬ素子が配置され、全体として偏平な短冊状に形成されている。
【００１９】
すなわち、図１に示す表面を構成するカバー部材１と、裏面を構成するカバー部材２には、両者を結合するための連結用突起部３および４がそれぞれ両端部に対向するようにして形成されている。また、前記した表裏のカバー部材１，２の間には、その長手方向に沿って同様に短冊状に形成された面発光体としての有機ＥＬ素子５が配置される。前記有機ＥＬ素子５は後述する第１電極が一方において端子板６に接続され、第２電極が他方において端子板７に接続されている。
【００２０】
前記裏側を構成するカバー部材２の突起部４を利用して連結部材８および９に形成された貫通穴が挿入されて、連結部材８および９がカバー部材２に取り付けられる。この際に、連結部材８および９にそれぞれ形成された配線部８ａ，９ａが、前記有機ＥＬ素子の端部に取り付けられた端子板６，７に接触する。
【００２１】
この状態で、表裏のカバー部材１，２を前記結用突起部３，４を利用して結合することで、連結部材８および９にそれぞれ形成された配線部８ａ，９ａが、前記有機ＥＬ素子に取り付けられた端子板６，７に圧着して導通状態になされ、一方に連結部材８が、他方に連結部材９が取り付けられた発光部材Ｅが組み立てられる。
【００２２】
図２（Ａ）は前記のようにして組み立てられた発光部材Ｅを正面図で示したものであり、図２（Ｂ）は、表裏のカバー部材１，２を除いた状態で示している。なお、図２においては図１に示した各部と同一部分を同一符号で示しており、したがってその詳細な説明は省略する。
【００２３】
前記発光部材Ｅの一方の端部に取り付けられた連結部材８は、可撓性の絶縁素材、例えばポリウレタン樹脂を多層に形成し、略１２０度の角度をもって他の発光部材Ｅが連結できるように構成されている。すなわち前記連結部材８は、３本の発光部材の各一端部が放射状に連結されるように構成されており、したがって前記角度の関係は変えずに、連結部材８を中心にして各発光部材Ｅが屈曲可能になされる。加えて、略１２０度の角度をもって放射状に連結された各発光部材Ｅは、連結部材８に形成された前記配線部８ａによってそれぞれ給電できるように構成される。
【００２４】
また発光部材Ｅの他方の端部に取り付けられた連結部材９も同様に可撓性の絶縁素材、例えばポリウレタン樹脂を多層に形成したものが用いられる。この実施の形態における前記連結部材９は、他の発光部材Ｅの端部に対して一対一の関係で屈曲可能となるように連結され、連結部材８に形成された前記配線部８ａを介して、一対一の関係で連結された他の発光部材Ｅに対して給電できるように構成される。
【００２５】
図３Ａおよび図３Ｂは、前記した面発光体としての有機ＥＬ素子５の基本的な構成例を示したものである。図３Ａにおいては有機ＥＬ素子を構成する各層を層方向に分離した状態で示し、図３Ｂにおいては断面図で示している。
【００２６】
すなわち、この種の有機ＥＬ素子は、透明な素材による素子形成基板５ａの片面に、まず、第１電極となる例えばＩＴＯによる透明電極５ｂ形成される。また、前記透明電極５ｂに重畳されるようにして有機物質からなる発光機能層５ｃが成膜される。
【００２７】
この発光機能層５ｃは、有機発光層の単一層、あるいは有機正孔輸送層と有機発光層からなる二層構造、または有機正孔輸送層と有機発光層および有機電子輸送層からなる三層構造、さらにこれらの適切な層間に電子もしくは正孔の注入層を挿入した多層構造になされる場合もある。なお図３においてはこれらを一層の状態で符号５ｃとして示している。
【００２８】
また、前記発光機能層５ｃ上にはアルミニウム等の素材を主体とした金属製の背面電極５ｄが第２電極として形成される。さらに前記背面電極５ｄ上には、封止部材５ｅが装着され、この封止部材５ｅによって、前記した透明電極５ｂ、発光機能層５ｃ、背面電極５ｄよりなる有機ＥＬ素子５が前記基板５ａとの間で封止された構成にされている。
【００２９】
そして、前記透明電極５ｂと背面電極５ｄとの間には直流電源Ｅ１が加えられる。これにより、発光機能層５ｃにおいて発生する光は、前記透明電極５ｂおよび透明基板５ａを透過し、これを照明光として利用することができる。なお、有機ＥＬ素子の発光を照明に利用する場合においては、一般的にその発光色は白色（昼光色）が好ましいが、有機ＥＬ素子は前記発光機能層５ｃの材料を選択することにより種々の発光色をもたらすことができる。
【００３０】
次に図４は、図１および図２に示した複数の発光部材Ｅを利用し、この発明にかかる照明装置の最も基本的な構成例を示したものである。なお、以下の説明においては各発光部材およびこれらを立体的に連結する各連結部材を識別して説明する便宜上、これらをそれぞれ異なった符号で示すが、各発光部材Ｅはそれぞれ同一長さで同一構造のものが用いられ、符号の頭をＥで示している。また連結部材８，９も図１および図２に示したものが用いられ、その符号の頭はＪで示している。
【００３１】
図４に示す実施の形態においては、３本の発光部材Ｅ１〜Ｅ３の各一端部が屈曲可能な第１連結部Ｊ１（前記連結部材８に相当する。）を中心にして放射状に連結され、これが第１発光ユニットＵＮ１を構成している。また、３本の発光部材Ｅ４〜Ｅ６の各一端部が屈曲可能な第２連結部Ｊ２（前記連結部材８に相当する。）を中心にして放射状に連結され、これが第２発光ユニットＵＮ２を構成している。
【００３２】
そして、第１発光ユニットＵＮ１を構成する３本の発光部材Ｅ１〜Ｅ３の各他端部と、前記第２発光ユニットＵＮ２を構成する３本の発光部材Ｅ４〜Ｅ６の各他端部とが一対一の関係で屈曲可能な第３連結部Ｊ３（前記連結部材９に相当する。）によりそれぞれ連結され、短冊状に形成された前記各発光部材により立体構造が構成されている。
【００３３】
図４に示した実施の形態によると、複数の発光部材Ｅ１〜Ｅ６が第１〜第３の連結部Ｊ１〜Ｊ３により立体形状に連結され、各連結部材において各発光部材同志が互いに屈曲可能に構成されているので、照明装置の形態を縦長または横長にするなど好みに応じて多彩な形態を選択することができる。
【００３４】
次の図５に示す実施の形態においては、図４に示した基本構成に加えて、さらに図４に示す基本構成と同様の形態になされた発光部材を末広がり状に連結されている。この図５に示す実施の形態においては、図１および図２に示した連結部材９に代えて、各発光部材Ｅの両端部に取り付けられる連結部材は、略１２０度の角度をもって他の発光部材が放射状に連結できる符号８で示す連結部材がそれぞれ用いられる。
【００３５】
図５における頂部に形成される部分は、図４に示した基本構成と同一であり、当該部分は、図４に示した符号と同一符号を用いて示している。図５に示す構成においてはこれに加えて、前記各第３連結部Ｊ３を中心にして前記第２発光ユニットＵＮ２を構成する発光部材の一つ（Ｅ５）を含むようにして発光部材Ｅ５〜Ｅ７の各一端部が放射状に連結されてなる第３発光ユニットＵＮ３が形成される。
【００３６】
なお、図５においては図示が複雑になるために、発光部材Ｅ５〜Ｅ７による第３発光ユニットＵＮ３のみを図示しているが、第２発光ユニットＵＮ２を構成する発光部材のＥ４およびＥ６をそれぞれ含むようにして同様に他に２つの第３発光ユニットＵＮ３が形成される。
【００３７】
また、３本の発光部材Ｅ８〜Ｅ１０の各一端部が屈曲可能な第４連結部Ｊ４を中心にして放射状に連結されてなる第４発光ユニットＵＮ４がさらに形成され、前記第３発光ユニットＵＮ３を構成する３本の発光部材Ｅ５〜Ｅ７の各他端部と前記第４発光ユニットＵＮ４を構成する３本の発光部材Ｅ８〜Ｅ１０の各他端部とが一対一の関係で屈曲可能な第５連結部Ｊ５によりそれぞれ連結される。したがって、図５に示すように第２連結部Ｊ２と第５連結部Ｊ５とは同一箇所になる。
【００３８】
なお、図５においては図示が複雑になるために、発光部材Ｅ８〜Ｅ１０による第４発光ユニットＵＮ４のみを図示しているが、第３発光ユニットＵＮ３と第４発光ユニットＵＮ４とは、それぞれ同様にペアの状態で形成される。
【００３９】
図５に示す実施の形態においては、以下同様に各第５連結部Ｊ５を中心にして第５発光ユニットＵＮ５が形成され、これに対向してペアとなる第６発光ユニットＵＮ６が形成される。さらに両者の連結部である第７連結部Ｊ７を中心にして第７発光ユニットＵＮ７が形成され、これに対向してペアとなる第８発光ユニットＵＮ８が形成されている。
【００４０】
斯くして、図５に示した実施の形態によると、図４に示す基本構造を頂点として短冊状の発光部材が順次末広がりとなるように立体的に連結されているので、より一層豪華な装飾効果を引き出すことができる照明装置を提供することができる。そして各連結部において各発光部材同志が互いに任意の角度に屈曲可能に構成されているので、その形態を任意変更することができ、より多彩な演出効果を発揮する照明装置を提供することができる。
【００４１】
図６〜図９は、図４および図５に示した照明装置について、その形態を任意に変更させた例を示す写真である。まず図６は、図４に示したこの発明にかかる照明装置の基本形態において、発光部材をそれぞれ放射状に連結する第１連結部材と第２連結部材が最も接近した状態（重ね合わされた状態）から両者が最も離れた状態に至るまでの各変形例を順を追って示したものである。
【００４２】
図７は、図５に示した照明装置の全体構造を示した写真であり、例えば床置き型として利用する一例を示している。また図８は、同じく図５に示した照明装置において、各連結部材を介して全体を丸みを帯びた状態に変形させたものであり、同じく床置き型として利用する他の例を示している。さらに図９は、同じく図５に示した照明装置において、シャンデリアの形態に変形させて、これを天井から吊り下げて利用するようにした例を示す。
【００４３】
なお、図４〜図９に示した実施の形態においては、連結部材を中心にして３本の発光部材が放射状に連結された構成にされているが、これは４本もしくはそれ以上の数の発光部材を放射状に連結した構成にして、同様に立体構造に組み立てることもできる。
【００４４】
また、以上説明した実施の形態においては、パネルケース内に収容される面発光体として、有機ＥＬ素子を用いた例を示しているが、これ以外に、無機ＥＬ素子などの発光素子を利用することも可能である。
【符号の説明】
【００４５】
１                表側カバー部材
２                裏側カバー部材
３，４            連結用突起部
５                面発光体（有機ＥＬ素子）
６，７            端子板
８，９            連結部材
８ａ，９ａ        配線部
Ｅ，Ｅ１〜Ｅ１０  発光部材
Ｊ１〜Ｊ９        連結部（連結部材）
ＵＮ１〜ＵＮ８    発光ユニット
【図１】
2010177049.tif 000003
【図２】
2010177049.tif 000004
【図３Ａ】
2010177049.tif 000005
【図３Ｂ】
2010177049.tif 000006
【図４】
2010177049.tif 000007
【図５】
2010177049.tif 000008
【図６】
2010177049.tif 000009
【図７】
2010177049.tif 000010
【図８】
2010177049.tif 000011
【図９】
2010177049.tif 000012